(57)【特許請求の範囲】
【請求項１】
カメラ部を支持するスタンド部を備えたビデオカメラであって、
前記スタンド部は、
スタンド本体と、
前記スタンド本体の第１の位置に取付けられた第１の支持手段と、
一方端部が前記スタンド本体に近づきまたは前記スタンド本体から離れることができるように、他方端部が前記スタンド本体の第１の位置から離れた第２の位置に回動可能に取付けられた第２の支持手段と、
前記第２の支持手段の一方端部が前記スタンド本体に近づく方向に前記第２の支持手段を付勢する付勢手段とを備え、
使用時には、前記第１および第２の支持手段が被取付体を挟み込んだ状態で前記第２の支持手段が前記スタンド本体に近づくように付勢されて被取付体に取付けられ、
非使用時には前記第２の支持手段が前記スタンド本体に近づくように付勢されて前記スタンド本体に収納され、
前記スタンド本体と前記第１の支持手段とが、ある角度と、そのある角度と異なる別の角度をなすように前記第１の支持手段を前記スタンド本体に対して固定する角度固定手段をさらに備えた、ビデオカメラ。
【請求項２】
前記角度固定手段は、前記第１の支持手段の回動方向に沿って前記第１の支持手段の一方端部に設けられた複数の爪部と、
前記スタンド本体に取付けられ、前記複数の爪部のいずれか１つと噛み合うロック部とを含み、前記爪部と前記ロック部とが噛み合うことにより前記第１の支持手段が前記スタンド本体に対して所定の角度をなして固定される、請求項１に記載のビデオカメラ。
【請求項３】
前記第１の支持手段は、前記スタンド本体に回動可能に取付けられた一方端部と、他方端部と、この他方端部に回動可能に取付けられ、被取付体に接触する面を有する接触部材とを含む、請求項１または２に記載のビデオカメラ。
【請求項４】
前記第１の支持手段の他方端部には、前記第１の支持手段の一方端部に向かって延在する案内溝が設けられ、前記接触部材は前記案内溝に嵌り合い、前記案内溝に沿って移動することが可能である、請求項３に記載のビデオカメラ。
【請求項５】
カメラ部を支持するスタンド部を備えたビデオカメラであって、
前記スタンド部は、
スタンド本体と、
前記スタンド本体の第１の位置に取付けられた第１の支持手段と、
一方端部が前記スタンド本体に近づきまたは前記スタンド本体から離れることができるように、他方端部が前記スタンド本体の第１の位置から離れた第２の位置に回動可能に取付けられた第２の支持手段と、
前記第２の支持手段の一方端部が前記スタンド本体に近づく方向に前記第２の支持手段を付勢する付勢手段とを備え、
使用時には、前記第１および第２の支持手段が被取付体を挟み込んだ状態で前記第２の支持手段が前記スタンド本体に近づくように付勢されて被取付体に取付けられ、
非使用時には前記第２の支持手段が前記スタンド本体に近づくように付勢されて前記スタンド本体に収納され、
前記第１の支持手段は、前記スタンド本体に回動可能に取付けられた一方端部と、他方端部と、この他方端部に回動可能に取付けられ、被取付体に接触する面を有する接触部材とを含み、
前記第１の支持手段の他方端部には、前記第１の支持手段の一方端部に向かって延在する案内溝が設けられ、前記接触部材は前記案内溝に嵌り合い、前記案内溝に沿って移動することが可能である、ビデオカメラ。
【請求項６】
前記第２の支持手段は、一方端部と、前記スタンド本体に回動可能に取付けられた他方端部と、前記一方端部に回動可能に取付けられ、被取付体に接触する面を有する接触部材とを含む、請求項１から５のいずれか１項に記載のビデオカメラ。
【請求項７】
前記接触部材において、被取付体に接触する面には滑り止め部材が設けられている、請求項３から６のいずれか１項に記載のビデオカメラ。
【発明の詳細な説明】
【０００１】
【発明の属する技術分野】
この発明は、コンピュータなどの情報機器に画像情報を入力するためのビデオカメラに関し、特に、液晶ディスプレイなどを使用した情報機器に取付けることが可能なビデオカメラの構造に関する。
【０００２】
【従来の技術】
近年、パーソナルコンピュータを利用した比較的安価なテレビ会議システムやテレビ電話システムが普及している。テレビ会議システムやテレビ電話システムでは、所定のテレビの上にビデオカメラが載置され、このビデオカメラがテレビの前にいる人の画像情報を読込み、これを他のテレビへ送信する。テレビ会議システムやテレビ電話システムで使用されるビデオカメラは、通常デスクトップタイプのパーソナルコンピュータでの使用を前提としているため、ＣＲＴ（Ｃａｔｈｏｄｅ  Ｒａｙ  Ｔｕｂｅ）ディスプレイ上面に載置して使用されるものが多かった。
【０００３】
近年急増している液晶ディスプレイタイプの薄いディスプレイに固定することが可能で、かつ平面部に載置しても使用することが可能なビデオカメラが、たとえば特開平１０−２３３９４８号公報に開示されている。
【０００４】
図１２および図１３は、上記公報に記載された従来のテレビジョンカメラの正面図である。図１２を参照して、従来のテレビジョンカメラは、被写体を撮影するカメラ部１０１と、本体ケース１０３と、クランプ１０６と、スタンド１０８とを有する。カメラ部１０１は、被写体を撮影する。本体ケース１０３は、カメラ部１０１により撮像した映像に関する信号の処理および制御を行なうカメラ制御部とバッテリと含み、補強片１３７を有する。
【０００５】
クランプ１０６は、本体ケース１０３を被取付体としてのパーソナルコンピュータのフラットディスプレイの縁に固定するための部材である。クランプ１０６は、レバー部１３０と、これに一体的に設けられたクランプ部１３１とからなる。レバー部１３０は本体ケース１０３の貫通孔（図示せず）に挿入されており、本体ケース１０３に対して直線的に移動可能に設けられている。レバー部１３０は、本体ケース１０３の幅より大きく形成され、その一方端にクランプ部１３１が一体的に形成されている。スタンド１０８の一方端がレバー部１３０の他方端に支軸１３５を介して取付けられる。スタンド１０８は支軸１３５を中心として回動する。クランプ部１３１は貫通孔より大きく形成され、本体ケース１０３と平行に対向する。クランプ部１３１の対向面にはゴム製の凹凸により形成される滑り止め体１３３が設けられている。また、本体ケース１０３の対向面にも、ゴム製の凹凸状の滑り止め体１３４が設けられている。
【０００６】
スタンド１０８は貫通孔内を移動できるようにレバー部１３０と同じ幅に形成されている。スタンド１０８の他方端には横棒１３６が形成されている。スタンド１０８内にはばねが内蔵されており、クランプ部１３１を本体ケース１０３に近づける方向へ付勢する。
【０００７】
このようなビデオカメラは、非使用時には、図１２で示すようにスタンド１０８は支軸１３５を中心として曲げられ本体ケース１０３に沿うように配置される。次に、使用時には、図１２で示すように、支軸１３５を中心としてスタンド１０８を矢印Ｒで示す方向に回動させる。スタンド１０８が２点鎖線で示す位置まで回動するとスタンド１０８の横棒１３６を本体ケース１０３に近づく方向に押す。これにより、レバー部１３０およびスタンド１０８が貫通孔内を移動し、図１３で示すようにクランプ部１３１が本体ケース１０３から遠ざかる。この状態で、滑り止め体１３３および１３４の間に被取付体であるフラットディスプレイ１９０を挟み込む。クランプ１０６は本体ケース１０３へ近づく方向に付勢されているため、滑り止め体１３３が滑り止め体１３４へ近づく方向へ付勢される。これにより、滑り止め体１３３および滑り止め体１３４により被取付体であるフラットディスプレイ１９０にテレビジョンカメラを固定することができる。
【０００８】
【発明が解決しようとする課題】
上述のような従来の技術では、図１２および図１３で示したように、ビデオカメラをフラットディスプレイに取付けるためには、まずスタンド１０８を矢印Ｒで示す方向に回動させる必要がある。次に、この回動操作とは別にクランプ部１３１を本体ケース１０３から遠ざかる方向へ移動させる工程の２つの工程が必要であり、操作が煩雑であるという問題があった。
【０００９】
そこで、この発明は上述のような問題点を解決するためになされたものであり、簡単な操作でフラットディスプレイに固定することが可能なビデオカメラを提供することを目的とするものである。
【００１０】
【課題を解決するための手段】
この発明に従ったビデオカメラは、カメラ部を支持するスタンド部を備えたビデオカメラであって、スタンド部は、スタンド本体と、スタンド本体の第１の位置に取付けられた第１の支持手段と、一方端部がスタンド本体に近づきまたはスタンド本体から離れることができるように、他方端部がスタンド本体の第１の位置から第２の位置に回動可能に取付けられた第２の支持手段と、第２の支持手段の一方端部がスタンド本体に近づく方向に第２の支持手段を付勢する付勢手段とを備える。使用時には、第１および第２の支持手段が被取付体を挟み込んだ状態で第２の支持手段がスタンド本体に近づくように付勢されて被取付体に取付けられる。非使用時には、第２の支持手段がスタンド本体に近づくように付勢されてスタンド本体に収納される。ビデオカメラは、スタンド本体と第１の支持手段とが、ある角度と、そのある角度と異なる別の角度をなすように第１の支持手段をスタンド本体に対して固定する角度固定手段をさらに備える。
好ましくは、角度固定手段は、第１の支持手段の回動方向に沿って第１の支持手段の一方端部に設けられた複数の爪部と、スタンド本体に取付けられ、複数の爪部のいずれか１つと噛み合うロック部とを含み、爪部とロック部とが噛み合うことにより第１の支持手段がスタンド本体に対して所定の角度をなして固定される。
より好ましくは、第１の支持手段は、スタンド本体に回動可能に取付けられた一方端部と、他方端部と、この他方端部に回動可能に取付けられ、被取付体に接触する面を有する接触部材とを含む。
より好ましくは、第１の支持手段の他方端部には、第１の支持手段の一方端部に向かって延在する案内溝が設けられており、接触部材は案内溝に嵌り合い、案内溝に沿って移動することが可能である。
この発明に従ったビデオカメラはカメラ部を支持するスタンド部を備える。スタンド部は、スタンド本体と、スタンド本体の第１の位置に取付けられた第１の支持手段と、一方端部がスタンド本体に近づきまたはスタンド本体から離れることができるように、他方端部がスタンド本体の第１の位置から離れた第２の位置に回動可能に取付けられた第２の支持手段と、第２の支持手段の一方端部がスタンド本体に近づく方向に第２の支持手段を付勢する付勢手段とを備える。使用時には、第１および第２の支持手段が被取付体を挟み込んだ状態で第２の支持手段がスタンド本体に近づくように付勢されて被取付体に取付けられる。非使用時には、第２の支持手段がスタンド本体に近づくように付勢されてスタンド本体に収納される。第１の支持手段はスタンド本体に回動可能に取付けられた一方端部と、他方端部と、この他方端部に回動可能に取付けられて被取付体に接触する面を有する接触部材とを含む。第１の支持手段の他方端部には、第１の支持手段の一方端部に向かって延在する案内溝が設けられ、接触部材は案内溝に嵌り合い、案内溝に沿って移動することが可能である。
好ましくは、第２の支持手段は、一方端部と、スタンド本体に回動可能に取付けられた他方端部と、一方端部に回動可能に取付けられ、被取付体に接触する面を有する接触部材とを含む。
好ましくは、接触部材において、被取付体に接触する面には滑り止め部材が設けられている。
【００２４】
【発明の実施の形態】
以下、この発明の実施の形態について図面を参照して説明する。
【００２５】
（実施の形態１）
図１は、本発明の実施の形態１に従ったビデオカメラの一部断面を含む側面図である。図１を参照して、ビデオカメラ８ａは、被写体を撮像するカメラ部１と、カメラ部１から与えられた電気信号を処理するカメラ制御部２と、カメラ部１およびカメラ制御部２を覆う本体ケース３と、カメラ制御部２に接続された信号ケーブル４と、本体ケース３に接続された保持部５と、保持部５に接続されたスタンド部１０ａとを有する。
【００２６】
カメラ部１は、被写体を撮像するためのレンズと、被写体からの像を固体撮像素子に集光し、固体撮像素子により被写体からの像を電気信号に変換する撮像回路とから構成されている。
【００２７】
カメラ部１から送られた電気信号は、映像信号処理および制御を行なうためにカメラ制御部２で映像信号に処理され、本体ケース３の後面に設けられた信号ケーブル４から出力される。なお、カメラ部１とカメラ制御部２は本体ケース３の内部に固定されている。この本体ケース３とスタンド部１０ａとは保持部５を介して接続されている。
【００２８】
保持部５は、本体ケース３を回動自在に保持する保持部上６と、スタンド部１０ａ上面に設けた１対の三角状の突出片に回動自在に軸２０１により支持された保持部下７とで構成される。保持部上６は、保持部下７に対し３６０°回転できるように設けられている。保持部上６と保持部下７との嵌合部には円筒状の凹凸形状が形成され、保持部上６は保持部下７に対して回転摺動できるように接続されている。
【００２９】
本体ケース３の後部は円筒状に形成されている。保持部上６の上部は円筒形状の一部分を切欠いたような形状、つまり、上方に開口する「Ｃ」型形状に形成されている。このＣ型形状の保持部上６に本体ケース３の円筒を挿入することにより、本体ケース３は保持部上６に回動可能に保持されている。
【００３０】
なお、本体ケース３と保持部上６との脱着については、本体ケース３の軸方向には脱着できないように構成されており、プラスチックまたは金属からなる保持部上６の弾性力を利用して、切欠いた開口部を一時的に広げるようにして本体ケース３を保持部上６から脱着することが可能である。これらの構成により、本体ケース３に内蔵されたカメラ部１は、スタンド部１０ａに対して、光軸周りに回転できる。さらに、水平面上で３６０°回転できる。さらに、軸２０１を中心に一定角度上下に動かすことができる構造となる。
【００３１】
スタンド部１０ａは、スタンド本体１１と、スタンド本体１１の第１の位置としての一方端部１１ａに取付けられた第１の支持手段としての可倒式の縁部２１と、一方端部３１ａがスタンド本体１１に近づきまたはスタンド本体１１から離れることができるように、他方端部３１ｂがスタンド本体１１の一方端部１１ａから離れた第２の位置としての他方端部１１ｂに回動可能に取付けられた第２の支持手段としてのレバー部３１と、レバー部３１の一方端部３１ａがスタンド本体１１に近づく方向にレバー部３１を付勢する付勢手段としての弾性体とを備える。
【００３２】
使用時には、縁部２１およびレバー部３１が被取付体を挟み込んだ状態でレバー部３１がスタンド本体１１に近づくように付勢されてビデオカメラ８ａが被取付体に取付けられる。非使用時には、レバー部３１がスタンド本体１１に近づくように付勢されてレバー部３１がスタンド本体１１に収納される。
【００３３】
スタンド本体１１は長手方向に延び、その一方端部１１ａに軸２０２が取付けられている。スタンド本体１１の他方端部１１ｂにも軸２０３が取付けられている。軸２０２および２０３は紙面の手前側から奥側に向かって延び、２箇所でスタンド本体１１に支持されている。軸２０２には縁部２１の一方端部２１ａが回動可能に嵌め合わされている。縁部２１の他方端部２１ｂにはゴムなどの摩擦係数の高い材料からなる滑り止め体２２が設けられている。
【００３４】
軸２０３にはレバー部３１が回動可能に取付けられている。レバー部３１はスタンド本体１１が延びる方向と同じ方向に沿って延び、その一方端部３１ａには接触部材としてのプレート６１が取付けられている。プレート６１の表面には滑り止め体６３が取付けられている。またプレート６１にはつまみ６２が取付けられ、つまみ６２は人が手で持つことが可能である。レバー部３１の他方端部３１ｂは軸２０３に回動可能に取付けられている。そのため、レバー部３１の一方端部３１ａは軸２０３を中心として同心円を描くように回動することが可能である。
【００３５】
図２は、スタンド本体にレバー部が収納された状態を示す断面図である。スタンド本体１１は底面が開口している箱型で、その上面図はほぼ直方体形状である。また、その長手方向が前後方向となっている。スタンド本体１１の底部の他方端部１１ｂには軸２０３が設けられている。軸２０３はスタンド本体１１に支持されており、軸２０３にレバー部３１が回動可能に取付けられている。このレバー部３１をねじりコイルばねにより構成される弾性体４１が常時スタンド本体１１へ近づく方向に付勢する。これにより、レバー部３１はスタンド本体１１内に収納される。
【００３６】
スタンド本体１１の一方端部１１ａには、スタンド本体１１と縁部２１が所定の角度をなすように縁部２１をスタンド本体１１に対して固定することが可能な、角度固定手段５０が設けられている。角度固定手段５０は、縁部２１の回動方向に沿って縁部２１の一方端部２１ａに取付けられた複数の爪部５２と、スタンド本体１１に取付けられ、複数の爪部５２のいずれか１つと噛み合うロック部５１とを含む。爪部５２とロック部５１とが噛み合うことにより縁部２１がスタンド本体１１に対して所定の角度をなして固定される。
【００３７】
スタンド本体１１の一方端部１１ａには、パーソナルコンピュータのフラットディスプレイなどの被取付体にビデオカメラを固定するために、下方に向かって延びるように縁部２１が設けられている。縁部２１の一方端部２１ａには、回動中心となる軸２０２が設けられている。そのため、縁部２１の他方端部２１ｂは軸２０２を中心として同心円状に回動することが可能である。軸２０２の円周方向には複数の爪部５２ａ〜５２ｃが形成されている。この爪部５２ａ〜５２ｃのいずれかには、スタンド本体１１の貫通孔１１ｃにスライド可能に嵌め合わされたロック部５１が嵌合する。これにより、縁部２１とスタンド本体１１とのなす角度を変えることができる。縁部２１の他方端部２１ｂには、被取付体を挟み込んで固定するための滑り止め体２２が設けられている。
【００３８】
スタンド本体１１において、保持部下７を支持している部分は、１対の三角状の突出片により保持部下７を支持するために上下方向に開口している。この開口部には、スタンド本体１１の後方から前方に向かって延びるように鉤状の突起１１ｄが形成されている。この突起１１ｄが弾性体４１の一端を保持している。
【００３９】
レバー部３１の他方端部３１ｂは軸２０３によりスタンド本体１１に回動可能に取付けられている。レバー部３１の一方端部３１ａには、接触部材としてのプレート６１が回動可能に取付けられている。プレート６１のうち、被取付体に接触する面にはゴムなどの摩擦抵抗の大きい材料からなる滑り止め体６３が設けられている。レバー部３１は縁部２１とともに被取付体を挟み込むための部材であり、被取付体に接触するプレート６１の接触面はほぼ平面形状である。このプレート６１はレバー部３１の一方端部３１ａに、軸２０４により回動可能に取付けられている。その軸２０４は水平かつ縁部２１と平行となっているため、厚さの異なる被取付体を挟み込んでもプレート６１の平面部が被取付体に対し常に面接触するように形成されている。
【００４０】
プレート６１は、スタンド本体１１に収納されたとき平面部が下方を向くように設けられている。プレート６１からスタンド本体１１の他方端部１１ｂに向かって延びるようにつまみ６２が設けられている。つまみ６２の先端は、レバー部３１の中央部に設けられた円形の穴部に収納される。また、縁部２１の滑り止め体２２とプレート６１とで被取付体を挟み込んだときの接触面には、ゴムなどの摩擦抵抗の大きい材料からなる滑り止め体６３が設けられている。
【００４１】
スタンド本体１１の外周部には、下方に向かって延びるように立壁１１ｅが形成されている。弾性体４１の作用によりスタンド本体１１内にレバー部３１が収納された状態では、レバー部３１の底面の高さとプレート６１に設けられた滑り止め体６３を含む平面部の底面の高さはほぼ同じであり、かつ滑り止め体６３は立壁１１ｅの底面より若干突出している。
【００４２】
図３は、実施の形態１に従ったビデオカメラの底面図である。図３を参照して、レバー部３１をスタンド本体１１に収納した場合にプレート６１と一体に形成されたつまみ６２がプレート６１の当接面より突出しないように、レバー部３１に段落とし３１ｃが形成されている。また、つまみ６２の先端はレバー部３１の中央に設けられた円形の穴部の内接円より少し内側までかかるように設けられている。さらに、つまみ６２の先端部は、指で引っ張る際に滑りにくいように断面が円形のふくらみを持たせている。
【００４３】
図４は、図２で示すビデオカメラを被取付体に取付けた状態を示す断面図である。図４を参照して、ビデオカメラをフラットディスプレイ等の被取付体９ａに取付ける場合には、被取付体９ａにビデオカメラのスタンド部１０ａを固定することができる。図４で示す状態では、被取付体に接触する面に設けられた滑り止め体２２および６３はそれぞれゴムなどの摩擦抵抗の大きい材料からなり、これらは互いに被取付体９ａに対して面接触している。プレート６１はレバー部３１を介して弾性体４１により被取付体９ａに近づくように付勢されている。またビデオカメラの重量が、被取付体９ａに近づく方向にプレート６１を押し付ける。爪部５２ｂとロック部５１とが噛合い、縁部２１とスタンド本体１１とは、ほぼ直交するように縁部２１が固定されている。
【００４４】
図５は、図２で示すビデオカメラをさらに別の被取付体に取付けた状態を示す断面図である。図５を参照して、図４と異なり、被取付体９ｂは、その縁部からディスプレイ面に向かって斜めに傾斜した面を有している。図５で示すように、縁部２１は被取付体９ｂの形状に合わせるように、スタンド本体１１に対して鋭角を出すように軸２０２を中心として所定の角度だけ回動した状態で取付けられている。
【００４５】
図４および図５で示す被取付体９ａおよび９ｂにビデオカメラのスタンド部１０ａを取付ける場合には、まず、被取付体９ａおよび９ｂの形状に合わせてスタンド本体１１と縁部２１とが所定の角度をなすように、つまり、爪部５２ａ〜５２ｃのいずれかとロック部５１とを噛み合わせて縁部２１とスタンド本体１１とのなす角度を調整する。図２および図３で示す状態からレバー部３１の穴部に指を挿入し、つまみ６２を下方に引出すように引っ張る。縁部２１を被取付体９ａおよび９ｂの一面にあてがう。プレート６１の平面部が被取付体９ａおよび９ｂに当接するように、つまり、被取付体９ａおよび９ｂを縁部２１とレバー部３１が挟み込むようにつまみ６２を離す。このとき、弾性体４１を介してレバー部３１の一方端部３１ａに回動可能に取付けられたプレート６１が被取付体９ａおよび９ｂに接触する。これにより、縁部２１に取付けられた滑り止め体２２とレバー部３１のプレート６１により被取付体９ａおよび９ｂにビデオカメラを取付けることができる。なお、滑り止め体２２および６３により、被取付体９ａおよび９ｂにビデオカメラを取付けたときに、振動によるビデオカメラのずれを防止することができ、保持固定が一層安定する。
【００４６】
そして、ビデオカメラを被取付体９ａおよび９ｂから取外すときには、図４および５で示す状態からつまみ６２を下方へ引っ張る。これにより、挟持状態が解除され、被取付体９ａおよび９ｂからビデオカメラを取外すことができる。
【００４７】
図６は、図２で示すビデオカメラをさらに別の被取付体に取付けた状態を示す断面図である。図６を参照して、ＣＲＴディスプレイにより構成される被取付体９ｃでは、縁部が斜めに面取りされている。可倒式の縁部２１はＣＲＴディスプレイの形状に合わせるように、スタンド本体１１に対して鈍角をなすように軸２０２を中心に回動させられ、固定されている。滑り止め体２２および６３は被取付体９ｃに対して面接触する。
【００４８】
ＣＲＴディスプレイなどの厚みが大きい被取付体９ｃにビデオカメラを取付ける場合には、レバー部３１を利用して被取付体９ｃにビデオカメラを挟み込むことができない。そのため、図６で示すように、レバー部３１をスタンド本体１１に収納した状態で縁部２１とスタンド本体１１とのなす角度を被取付体９ｃの前部縁形状に合わせて角度を設定する。図４で示す状態から縁部２１を回動させるには、まず、図４で示すロック部５１を貫通孔１１ｃに嵌合させた状態でスタンド本体１１の他方端部１１ｂへ向かう方向に移動させる。これにより、ロック部５１と爪部５２ｂとの噛み合いが外れる。この状態で縁部２１をスタンド本体１１から遠ざかる方向へ回動させる。回動が終わるとロック部５１をスタンド本体１１の一方端部１１ａへ近づく方向へ移動させる。これにより、爪部５２ａとロック部５１とが噛み合い、図６で示すように、縁部２１とスタンド本体１１とが鈍角をなすように固定される。その後、ＣＲＴディスプレイにより構成される被取付体９ｃの前部上面にビデオカメラを載置する。この状態では、プレート６１の表面に設けられた滑り止め体６３により、振動や衝撃が与えられてもビデオカメラの移動、ずれ、落下等を防止することができる。
【００４９】
図７は、ビデオカメラを別の被取付体に載置した状態を示す断面図である。図７で示すように、スタンド本体１１と縁部２１とが鈍角をなす状態でビデオカメラが被取付体９ｄに取付けられている。被取付体９ｄの幅は被取付体９ａよりも大きい。このように、被取付体９ｄが大きくなったとしても、縁部２１がスタンド本体１１に対して鈍角をなすように固定することにより大きな被取付体９ｄにビデオカメラを取付けることができる。
【００５０】
以上説明した実施の形態１に従ったビデオカメラでは、被取付体９ａ〜９ｄに取付けられる際には、つまみ６２を引出し、レバー部３１を回動させるだけで被取付体に取付けることができる。すなわち、従来のビデオカメラでは、まず棒を所定の方向に回動させ、その後クランプ部を引出すという２つの動作が必要であったのに対し、この発明では、１つの動作で被取付体にビデオカメラを取付けることができる。そのため、動作が煩雑とならず使いやすいビデオカメラとなる。
【００５１】
さらに、図６で示したように、平面形状の被取付体９ｃにビデオカメラを載置する場合にも、滑り止め体２２および６３は被取付体９ｃに対して面接触する。これにより被取付体と滑り止め体２２および６３との接触面積が増えるので確実にビデオカメラを載置することができる。
【００５２】
（実施の形態２）
図８は、この発明の実施の形態２に従ったビデオカメラの一部断面を含む側面図である。図８を参照して、ビデオカメラのスタンド部１０ｂでは、縁部２４に、回動可能に回転パッド７１が設けられている点で、実施の形態１で示したビデオカメラ８ａと異なる。縁部２４の一方端部２４ａは軸２０２により、スタンド本体１１に回動可能に取付けられている。縁部２４の他方端部２４ｂには軸２０５が設けられ、この軸２０５を中心として回動するように接触部材としての回転パッド７１が設けられている。回転パッドには、被取付体を挟み込んだときに接触面となる部分にゴムなどの摩擦抵抗の大きい材料からなる滑り止め体７２が設けられている。
【００５３】
図９は、図８で示すビデオカメラを被取付体に取付けた状態を示す断面図である。図９で示すように、回転パッド７１の面のうち、被取付体９ｄに接触する面は平面形状である。被取付体９ｄの形状に合わせて回転パッド７１の当接部が面接触するように、軸２０５により回動可能に回転パッド７１が縁部２４に取付けられている。
【００５４】
このような実施の形態２に従ったスタンド部１０ｂを有するビデオカメラでは、まず、実施の形態１で示したビデオカメラと同様の効果がある。さらに、実施の形態１で示したビデオカメラでは、図７で示すように、比較的大きな被取付体９ｄに取付けられることが可能であるが、図７では、滑り止め体２２が被取付体９ｄに対して線接触している。しかしながら、図９で示すこの発明の実施の形態２に従ったビデオカメラでは、回転パッド７１は所定方向に回動するために回転パッド７１を被取付体９ｄに面接触させることが可能である。このように、所定方向に回動する回転パッド７１により、縁部２４とスタンド本体１１とのなす角度により決まった縁部２４の傾きと、被取付体９ｄの縁部形状との間の隙間を吸収し、当接部が面接触する。これにより、より安定して被取付体を挟むことができるという効果がある。
【００５５】
（実施の形態３）
図１０は、この発明の実施の形態３に従ったビデオカメラの一部断面を含む側面図である。図１０を参照して、この発明の実施の形態３に従ったビデオカメラのスタンド本体１０ｃでは、案内溝２７を有する縁部２６が設けられている点で実施の形態２に従ったビデオカメラのスタンド部１０ｂと異なる。縁部２６には縁部２６の他方端部２６ｂから一方端部２６ａへ延びる案内溝２７が設けられている。案内溝２７には回転パッド７１を回動可能に支持する軸２０７が嵌り合い、軸２０７は案内溝２７に沿って移動することが可能である。縁部２６に設置された軸２０７の保持場所が、案内溝２７に沿って自在に動くようにされており、軸２０７に回動可能に支持された回転パッド７１が作用する位置が軸２０７の移動に伴って移動することが可能である。
【００５６】
図１１は、図１０で示すビデオカメラを被取付体に取付けた状態を示す断面図である。図１１を参照して、縁部２６に設けられている回転パッド７１の被取付体９ｄへの当接面は平面形状である。被取付体９ｄの形状に合わせて回転パッド７１の当接面が面接触するように、回転パッド７１は軸２０７により回動可能に支持されている。縁部２６には、回転パッド７１を支持する軸２０７の位置を自在に動かせるように案内溝２７が設けられている。案内溝の端部に軸２０７が支持されてスタンド部１０ｃが被取付体９ｄに取付けられている。
【００５７】
このように構成されたスタンド部１０ｃを有するビデオカメラでは、実施の形態２に従った効果がある。さらに、被取付体９ｄの幅が広い場合、すなわち、図７および図９で示す場合には、スタンド本体１１の上面が水平状態から傾くこととなるが、図１１で示す状態では、スタンド本体１１の上面を水平に保つことができる。これは、縁部２６に設置された軸２０７の保持場所が、案内溝に沿って自在に動かせるようになっているからであり、軸２０７に回動可能に支持された回転パッド７１が作用する位置が軸の移動に伴って移動するからである。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５９】
【発明の効果】
この発明に従ったビデオカメラは上述のように構成されるため、フラットディスプレイなどの縁の形状または厚さの異なるさまざまな被取付体にビデオカメラを姿勢を崩さず簡単に取付け取外しをすることができる。また、取外したときには、取付レバーがコンパクトに収納され、そのまま平面部に載置して使用することもできる。
【００６０】
また、取付け取外しの際のつまみを指で容易に引き起こすことができるため操作性が向上する。そして、どのような使用状態でもパンニングおよびチルティング操作を容易に行なうことができる。特に、フラットディスプレイの側面に挟むようにビデオカメラを保持した場合でも、カメラの水平線を容易に調整することができる。
【００６１】
さらに、縁部が可倒式のため、固定式に比べてフラットディスプレイの縁の形状によらず安定して被取付体を挟み込むことができる。また、挟持可能な被取付体の厚さの範囲も拡大する。さらに、レバー部を使用してフラットディスプレイを挟み込む場合とレバーを使用せずＣＲＴディスプレイの上にカメラの縁部をＣＲＴディスプレイの縁に沿わせて置く場合のいずれであっても、フラットディスプレイのディスプレイ面が縁より窪んでいる場合がある。また、ＣＲＴディスプレイの縁に面取り状の傾斜がある場合がある。このような場合でも、それらに合わせて挟持および載置できるため、さまざまな形状のディスプレイにビデオカメラを取付けた場合にも、滑り止め効果を発揮することができる。すなわち、ディスプレイの形状に対する自由度が向上する。
【図面の簡単な説明】
【図１】本発明の実施の形態１に従ったビデオカメラの一部断面を含む側面図である。
【図２】スタンド本体にレバー部が収納された状態を示す断面図である。
【図３】実施の形態１に従ったビデオカメラの底面図である。
【図４】図２で示すビデオカメラを被取付体に取付けた状態を示す断面図である。
【図５】図２で示すビデオカメラをさらに別の被取付体に取付けた状態を示す断面図である。
【図６】図２で示すビデオカメラをさらに別の被取付体に取付けた状態を示す断面図である。
【図７】図２で示すビデオカメラをさらに別の被取付体に取付けた状態を示す断面図である。
【図８】この発明の実施の形態２に従ったビデオカメラの一部断面を含む側面図である。
【図９】図８で示すビデオカメラを被取付体に取付けた状態を示す断面図である。
【図１０】この発明の実施の形態３に従ったビデオカメラの一部断面を含む側面図である。
【図１１】図１０で示すビデオカメラを被取付体に取付けた状態を示す断面図である。
【図１２】従来のビデオカメラの正面図である。
【図１３】従来のビデオカメラの正面図である。
【符号の説明】
１  カメラ部、８ａ  ビデオカメラ、１０ａ〜１０ｃ  スタンド部、１１  スタンド本体、２１，２４，２６  縁部、２７  案内溝、３１  レバー部、４１  弾性体、５０  角度固定手段，５１  ロック部、５２，５２ａ，５２ｂ，５２ｃ爪部、６１  プレート、２２，６３，７２  滑り止め体、７１  回転パッド。
【図１】
0003564047.tif 000002
【図２】
0003564047.tif 000003
【図３】
0003564047.tif 000004
【図４】
0003564047.tif 000005
【図５】
0003564047.tif 000006
【図６】
0003564047.tif 000007
【図７】
0003564047.tif 000008
【図８】
0003564047.tif 000009
【図９】
0003564047.tif 000010
【図１０】
0003564047.tif 000011
【図１１】
0003564047.tif 000012
【図１２】
0003564047.tif 000013
【図１３】
0003564047.tif 000014